(57)【要約】      （修正有）【課題】表示品位を良好にすることができる電気泳動表示装置の製造方法などを提供する。【解決手段】互いに対向させられた第１の基板１０１および第２の基板１０２と、第１の基板１０１に画素に対応して設けられた第１の電極１３１，１３２，１３３と、第２の基板１０２に設けられた２個以上の分離した第２の電極１４１，１４２と、第２の基板に設けられた隔壁１１１，１１２と、第１の電極１３１，１３２，１３３と第２の電極１４１，１４２との間に設けられた粒子１６２，１６３および分散媒１５１を含む分散液と、を備えた電気泳動表示装置を製造する方法であって、隔壁１１１，１１２により仕切られた空間に分散液を充填する充填工程と、空間に分散液が充填された後に、粒子１６２，１６３を第２の電極１４１，１４２の側に引き寄せた状態で、第２の基板１０２と第１の基板１０１とを組み立てる組立工程と、を有する電気泳動表示装置の製造方法。【選択図】図２
2017161833.tif 000002
【特許請求の範囲】
【請求項１】
互いに対向させられた第１の基板および第２の基板と、前記第１の基板に画素に対応して設けられた第１の電極と、前記第２の基板に設けられた２個以上の分離した第２の電極と、前記第２の基板に設けられた隔壁と、前記第１の電極と前記第２の電極との間に設けられた粒子および分散媒を含む分散液と、を備えた電気泳動表示装置を製造する方法であって、
前記隔壁により仕切られた空間に前記分散液を充填する充填工程と、
前記空間に前記分散液が充填された後に、前記粒子を前記第２の電極の側に引き寄せた状態で、前記第２の基板と前記第１の基板とを組み立てる組立工程と、
を有する電気泳動表示装置の製造方法。
【請求項２】
前記充填工程において、前記２個以上の分離した前記第２の電極の間に電圧を印加した状態で、前記空間に前記分散液を充填する、
請求項１に記載の電気泳動表示装置の製造方法。
【請求項３】
前記組立工程において、前記２個以上の分離した前記第２の電極の間に電圧を印加した状態とすることで、前記粒子を前記第２の電極の側に引き寄せた状態とする、
請求項１または請求項２のいずれか１項に記載の電気泳動表示装置の製造方法。
【請求項４】
前記電気泳動表示装置において、前記粒子が前記第２の電極の側に引き寄せられた状態が電圧の印加の解除の後に保持される場合に、
前記２個以上の分離した前記第２の電極の間に電圧を印加した後に前記電圧の印加を解除することで、前記組立工程において前記粒子を前記第２の電極の側に引き寄せた状態とする、
請求項１または請求項２のいずれか１項に記載の電気泳動表示装置の製造方法。
【請求項５】
前記電気泳動表示装置において、前記隔壁により仕切られた１個の前記空間に、前記２個以上の分離した前記第２の電極が配置された、
請求項１から請求項４のいずれか１項に記載の電気泳動表示装置の製造方法。
【請求項６】
互いに対向させられた第１の基板および第２の基板と、
前記第１の基板に画素に対応して設けられた第１の電極と、
前記第２の基板に設けられた２個以上の分離した第２の電極と、
前記第２の基板に設けられた隔壁と、
前記第１の電極と前記第２の電極との間に設けられた粒子および分散媒を含む分散液と、
を備えた電気泳動表示装置。
【請求項７】
請求項６に記載の電気泳動表示装置を備える電子機器。
【発明の詳細な説明】
【技術分野】
【０００１】
本発明は、電気泳動表示装置の製造方法、電気泳動表示装置および電子機器に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、電子ペーパーなどで用いられている。
電気泳動表示装置は、帯電性および分散性を有する粒子（「電気泳動粒子」という。）が注入された溶媒（「分散媒」という。）に電圧を印加して、当該粒子を所定の電極の側に動かすことで、色および反射率が異なる粒子を分離させて、表示の内容を変えることができる。一例として、白に対応する粒子（「白色粒子」という。）および黒に対応する粒子（「黒色粒子」という。）を用いた白黒表示体では、一般に、白色粒子の光散乱を利用して白を表示させ、黒色粒子の光吸収性を利用して黒を表示させている。
電気泳動表示装置は、例えば、外光の反射により表示のコントラストが得られる反射型の表示装置として構成される。この場合、電気泳動表示装置では、夜間等の暗所で使用する場合を想定して、積層配置された導光板、および表示面を照らすフロントライト等の光源を有している。このことは、市販されている電気泳動表示装置でも同様である。
【０００３】
例えば、電気泳動表示装置として、一対の基板のうちの一方の基板に隔壁を設け、当該隔壁により区画された領域（以下、「セル」ともいう。）のなかに電気泳動材料（電気泳動粒子および分散媒を含む分散液）を充填した後に、他方の基板を当該隔壁の端面に接合した構造のものが知られていた（特許文献１参照。）。
【０００４】
しかしながら、このような電気泳動表示装置では、ジェットディスペンサーなどを用いて各セルに電気泳動材料を充填する際に、各セルに充填される電気泳動材料の量にばらつきが生じ、隔壁の端面（セルの開口している側の端面）から電気泳動材料が溢れる場合があった。
また、前記他方の基板を隔壁の端面に接触させて接合するとき、接触の間際に、前記他方の基板と当該隔壁の端面との間に電気泳動材料が入り込み、毛管現象によって一部のセルの電気泳動材料が流失して他の部分のセルに広がる場合があった。ここで、電気泳動材料は分散媒に電気泳動粒子を分散させたものであるが、必ずしも、電気泳動材料の充填時に完全に均等に分散しているわけではない。このため、前記した流失と広がりによって、それぞれのセルごとにおける電気泳動粒子の濃度が異なる場合があった。この場合、電気泳動表示装置が駆動されて画像が表示される際に、表示のムラが発生して、表示品位が低下することがあった。
【先行技術文献】
【特許文献】
【０００５】
【特許文献１】特開２０１３−２３５０２２号公報
【発明の概要】
【発明が解決しようとする課題】
【０００６】
上述のように、電気泳動表示装置において、電気泳動材料の流失あるいは広がりによって、表示品位が低下する場合があった。
【０００７】
本発明は、前記の点に鑑み為されたものであり、表示品位を良好にすることができる電気泳動表示装置の製造方法、電気泳動表示装置および電子機器を提供することを目的とする。
【課題を解決するための手段】
【０００８】
上記課題の少なくとも一つを解決するために本発明の一態様は、互いに対向させられた第１の基板および第２の基板と、前記第１の基板に画素に対応して設けられた第１の電極と、前記第２の基板に設けられた２個以上の分離した第２の電極と、前記第２の基板に設けられた隔壁と、前記第１の電極と前記第２の電極との間に設けられた粒子および分散媒を含む分散液と、を備えた電気泳動表示装置を製造する方法であって、前記隔壁により仕切られた空間に前記分散液を充填する充填工程と、前記空間に前記分散液が充填された後に、前記粒子を前記第２の電極の側に引き寄せた状態で、前記第２の基板と前記第１の基板とを組み立てる組立工程と、を有する電気泳動表示装置の製造方法である。
この構成により、電気泳動表示装置の製造方法では、組立工程において、前記空間に分散液が充填された後に、粒子を第２の電極の側に引き寄せた状態で、第２の基板と第１の基板とを組み立てる。これにより、電気泳動表示装置の製造方法では、電気泳動表示装置において、表示品位を良好にすることができる。
【０００９】
また、本発明の一態様は、電気泳動表示装置の製造方法において、前記充填工程において、前記２個以上の分離した前記第２の電極の間に電圧を印加した状態で、前記空間に前記分散液を充填する、構成が用いられてもよい。
この構成により、電気泳動表示装置の製造方法では、充填工程において、２個以上の分離した第２の電極の間に電圧を印加した状態で、前記空間に分散液を充填する。これにより、電気泳動表示装置の製造方法では、電気泳動表示装置において、表示品位を良好にすることができる。
【００１０】
また、本発明の一態様は、電気泳動表示装置の製造方法において、前記組立工程において、前記２個以上の分離した前記第２の電極の間に電圧を印加した状態とすることで、前記粒子を前記第２の電極の側に引き寄せた状態とする、構成が用いられてもよい。
この構成により、電気泳動表示装置の製造方法では、組立工程において、２個以上の分離した第２の電極の間に電圧を印加した状態とすることで、粒子を第２の電極の側に引き寄せた状態とする。これにより、電気泳動表示装置の製造方法では、電気泳動表示装置において、表示品位を良好にすることができる。
【００１１】
また、本発明の一態様は、電気泳動表示装置の製造方法において、前記電気泳動表示装置において、前記粒子が前記第２の電極の側に引き寄せられた状態が電圧の印加の解除の後に保持される場合に、前記２個以上の分離した前記第２の電極の間に電圧を印加した後に前記電圧の印加を解除することで、前記組立工程において前記粒子を前記第２の電極の側に引き寄せた状態とする、構成が用いられてもよい。
この構成により、電気泳動表示装置の製造方法では、電気泳動表示装置が表示の保持性を有する場合に、２個以上の分離した第２の電極の間に電圧を印加した後に電圧の印加を解除することで、組立工程において粒子を第２の電極の側に引き寄せた状態とする。これにより、電気泳動表示装置の製造方法では、電気泳動表示装置において、表示品位を良好にすることができる。
【００１２】
また、本発明の一態様は、電気泳動表示装置の製造方法において、前記電気泳動表示装置において、前記隔壁により仕切られた１個の前記空間に、前記２個以上の分離した前記第２の電極が配置された、構成が用いられてもよい。
この構成により、電気泳動表示装置の製造方法では、電気泳動表示装置において、隔壁により仕切られた１個の前記空間に、２個以上の分離した第２の電極が配置された構成において、充填工程および組立工程を行う。これにより、電気泳動表示装置の製造方法では、電気泳動表示装置において、表示品位を良好にすることができる。
【００１３】
上記課題の少なくとも一つを解決するために本発明の一態様は、互いに対向させられた第１の基板および第２の基板と、前記第１の基板に画素に対応して設けられた第１の電極と、前記第２の基板に設けられた２個以上の分離した第２の電極と、前記第２の基板に設けられた隔壁と、前記第１の電極と前記第２の電極との間に設けられた粒子および分散媒を含む分散液と、を備えた電気泳動表示装置である。
この構成により、電気泳動表示装置では、組立工程において、前記空間に分散液が充填された後に、粒子を第２の電極の側に引き寄せた状態で、第２の基板と第１の基板とを組み立てることが可能である。これにより、電気泳動表示装置では、表示品位を良好にすることができる。
【００１４】
上記課題の少なくとも一つを解決するために本発明の一態様は、上記のような電気泳動表示装置を備える電子機器である。
この構成により、電子機器では、電気泳動表示装置において、組立工程において、前記空間に分散液が充填された後に、粒子を第２の電極の側に引き寄せた状態で、第２の基板と第１の基板とを組み立てることが可能である。これにより、電子機器では、電気泳動表示装置において、表示品位を良好にすることができる。
【００１５】
以上のように、本発明に係る電気泳動表示装置の製造方法、電気泳動表示装置および電子機器によれば、電気泳動表示装置を製造するときに、組立工程において、前記空間に分散液が充填された後に、粒子を第２の電極の側に引き寄せた状態で、第２の基板と第１の基板とを組み立てることが可能である。これにより、電気泳動表示装置の製造方法、電気泳動表示装置および電子機器では、電気泳動表示装置において、表示品位を良好にすることができる。
【図面の簡単な説明】
【００１６】
【図１】本発明の一実施形態（第１実施形態）に係る電気泳動表示装置の概略的な構成例を示す図である。
【図２】本発明の一実施形態に係る表示部の概略的な構成例を示す図である。
【図３】本発明の一実施形態に係る電気泳動表示装置を製造する方法の一例を説明するための図である。
【図４】比較例に係る電気泳動表示装置を製造する方法の一例を説明するための図である。
【図５】本発明の一実施形態に係る対向電極の形状のパターンの一例を示す図である。
【図６】本発明の一実施形態に係る対向電極の形状のパターンの他の一例を示す図である。
【図７】本発明の一実施形態に係る充填工程の処理の手順の一例を示す図である。
【図８】本発明の一実施形態に係る組立工程の処理の手順の一例を示す図である。
【図９】本発明の一実施形態（第２実施形態の第１の例）に係る電子機器の概略的な構成例を示す図である。
【図１０】本発明の一実施形態（第２実施形態の第２の例）に係る電子機器の概略的な構成例を示す図である。
【図１１】本発明の一実施形態（第２実施形態の第３の例）に係る電子機器の概略的な構成例を示す図である。
【発明を実施するための形態】
【００１７】
本発明の実施形態について図面を参照して詳細に説明する。
【００１８】
（第１実施形態）
［電気泳動表示装置の概要］
図１は、本発明の一実施形態（第１実施形態）に係る電気泳動表示装置１の概略的な構成例を示す図である。図１は、電気泳動表示装置１の平面図である。
電気泳動表示装置１は、表示部１１と、制御部１２を備える。
表示部１１は、縦および横（マトリクス状）に配置された複数の画素領域２１を備える。
制御部１２は、それぞれの画素領域２１ごとに、分散液に印加する電圧を制御することにより、表示する色を制御する。本実施形態では、それぞれの画素領域２１ごとに、分散媒とともに白色粒子および黒色粒子を含む分散液を有しており、白色粒子を用いた白の表示または黒色粒子を用いた黒の表示が可能である。
【００１９】
［表示部の概要］
図２は、本発明の一実施形態に係る表示部１１の概略的な構成例を示す図である。図２は、表示部１１の断面側面図である。
なお、本実施形態では、複数の画素領域２１のうち、外周に面した２以上の画素領域２１の構成は同じであり、また、外周に面しない２以上の画素領域２１の構成は同じである。また、外周に面した画素領域２１の構成と、外周に面しない画素領域２１の構成とは、外周に面するか否かに応じた相違部分以外は同じ構成である。
図２の例では、外周に面しない画素領域２１の構成例を示してある。外周に面した画素領域２１の場合には、外周の側面に封止部（図示せず）が備えられる。
【００２０】
表示部１１は、第１の基板（以下、「画素基板」という。）１０１と、第２の基板（以下、「対向基板」という。）１０２と、隔壁１１１〜１１２と、接合層１２１と、第１の電極（以下、「画素電極」という。）１３１〜１３３と、第２の電極（以下、「対向電極」という。）１４１〜１４２と、分散液１５１を備える。分散液１５１は、分散媒１６１と、第１の種類の複数の電気泳動粒子（本実施形態では、白色粒子）１６２と、第２の種類の複数の電気泳動粒子（本実施形態では、黒色粒子）１６３を含む。
なお、「画素基板」は「駆動基板」などと呼ばれてもよく、「対向電極」は「共通電極」などと呼ばれてもよい。
封止部（図示せず）は、表示部１１の外周の側面に設けられており、分散液１５１を封止している。なお、封止部は、例えば、隔壁１１１〜１１２と一体として構成されてもよい。
【００２１】
画素基板１０１と対向基板１０２とは、互いに対向させられて配置されている。
画素基板１０１と対向基板１０２との間において、対向基板１０２に、隔壁１１１〜１１２が設けられている。隔壁１１１〜１１２によって、仕切られた複数の画素領域２１の空間（セル）が形成されている。当該空間（セル）は、隔壁１１１〜１１２および基板（画素基板１０１、対向基板１０２）によって覆われた空間である。
画素基板１０１と対向基板１０２との間において、画素基板１０１に、画素領域２１ごとに、電極（画素電極）１３１〜１３３が設けられている。
画素基板１０１と対向基板１０２との間において、対向基板１０２に、電極（対向電極）１４１〜１４２が設けられている。本実施形態では、対向電極１４１〜１４２は、２個の異なる電極（対向電極１４１と対向電極１４２）から構成されている。なお、対向基板１０２としては例えばガラス基板が用いられてもよく、対向電極１４１〜１４２としては例えばＩＴＯ（インジウム・スズ酸化物）などの電極が用いられてもよい。
【００２２】
画素基板１０１と対向基板１０２との間において、画素基板１０１に、対向基板１０２の側に、接合層１２１が設けられている。ここで、接合層１２１と、隔壁１１１〜１１２の先端部（画素基板１０１の側の先端部）とが接している。当該接合層１２１は、例えば、１個の層のみを有してもよく、または、２個以上の層を有してもよい。
各画素領域２１には、分散液１５１が設けられている。
【００２３】
電気泳動表示装置１では、制御部１２が、電圧を駆動して、各画素電極１３１〜１３３に印加する電圧と、対向電極１４１〜１４２に印加する電圧を制御することで、各画素領域２１に表示される色（本実施形態では、白色または黒色）を制御する。この場合、２個の対向電極１４１〜１４２には同じ電圧が印加される。これにより、表示面における表示の内容が制御される。本実施形態では、対向基板１０２の側の面が、表示の内容を出力する表示面となる。
【００２４】
例えば、画素電極１３１〜１３３と対向電極１４１〜１４２との間に、相対的に対向電極１４１〜１４２の電圧が高くなるように電圧を印加する。すると、対向電極１４１〜１４２から画素電極１３１〜１３３に向かう電場が生じるので、正に帯電された黒色粒子１６３は画素電極１３１〜１３３の側に泳動し、一方、負に帯電された白色粒子１６２は対向電極１４１〜１４２の側に泳動する。この結果、表示面の側（対向電極１４１〜１４２の側）には白色粒子１６２が集まることになり、表示面には当該白色粒子１６２に対応する色（白色）が表示される。
【００２５】
逆に、画素電極１３１〜１３３と対向電極１４１〜１４２との間に相対的に画素電極１３１〜１３３の電位が高くなるように電圧を印加する。すると、画素電極１３１〜１３３から対向電極１４１〜１４２に向かう電場が生じるので、負に帯電された白色粒子１６２は画素電極１３１〜１３３の側に泳動し、一方、正に帯電された黒色粒子１６３は対向電極１４１〜１４２の側に泳動する。この結果、表示面の側（対向電極１４１〜１４２の側）には黒色粒子１６３が集まることになり、表示面には当該黒色粒子１６３に対応する色（黒色）が表示される。
【００２６】
ここで、本実施形態では、白色粒子１６２と黒色粒子１６３が用いられるが、他の構成例として、他の色に対応する粒子が用いられてもよい。
また、本実施形態では、分散液１５１に含まれる粒子として、２色（白色、黒色）に対応する２種類の粒子が用いられるが、他の構成例として、１色に対応する１種類の粒子が用いられてもよく、または、３色以上に対応する３種類以上の粒子が用いられてもよい。
例えば、赤色、緑色、青色などの顔料を用いることによって、赤色、緑色、青色などを表示する表示部１１を備える電気泳動表示装置１とすることも可能である。
【００２７】
また、他の構成例として、対向基板１０２に、画素基板１０１とは反対の側に、導光部（図示せず）および発光部（図示せず）が備えられてもよい。導光部は、発光部から発せられる光を導光し、これにより、フロントライトが実現される。この場合、画素基板１０１と導光部とを接合するために、接着部またはフレームなどが備えられてもよい。発光部としては、例えば、ＬＥＤ（Ｌｉｇｈｔ  Ｅｍｉｔｔｉｎｇ  Ｄｉｏｄｅ）が用いられてもよい。
【００２８】
また、本実施形態では、隔壁１１１〜１１２により形成される画素領域２１ごとの空間（セルとなる閉空間）が並べられた形状として、スクエアの形状（例えば、長方体が並べられた形状）が用いられるが、他の構成例として、ハニカムの形状（正六角柱が並べられた形状）など、他の形状が用いられてもよい。
【００２９】
［電気泳動表示装置を製造する方法の例］
図３を参照して、本実施形態に係る電気泳動表示装置１を製造する方法の一例を説明する。
図３は、本発明の一実施形態に係る電気泳動表示装置１を製造する方法の一例を説明するための図である。
図３には、図２に示される表示部１１に関し、画素電極１３１〜１３３を備えた画素基板１０１および接合層１２１が接合（接続）される前の状態における、対向基板１０２の側の構成例を示してある。図３は、対向基板１０２の側の構成に関する断面側面図である。
【００３０】
具体的には、対向基板１０２と、対向基板１０２に設けられた対向電極１４１〜１４２と、対向基板１０２（本実施形態では、対向電極１４１〜１４２の面）に設けられた隔壁１１１〜１１２と、隔壁１１１〜１１２により区切られたセルに充填された分散液１５１を示してある。分散液１５１は、分散媒１６１と、白色粒子１６２と、黒色粒子１６３を含む。
また、図３には、図３における中央のセルに存在する白色粒子１６２および黒色粒子１６３とともに、周囲の他のセルに存在する白色粒子２０１および黒色粒子２０２についても、符号を付して、示してある。
【００３１】
本実施形態では、対向基板１０２の側に隔壁１１１〜１１２が設けられている。また、対向電極１４１〜１４２として、一対の電極（対向電極１４１と対向電極１４２）が設けられている。本実施形態では、それぞれのセルに一方の対向電極１４１と他方の対向電極１４２との両方が離隔して存在する構造となっている。
【００３２】
電気泳動表示装置１を製造する方法の一例を示す。
本例では、対向基板１０２の面のうちで隔壁１１１〜１１２が設けられている面とは反対の面（ここの説明で、「外面」という。）に対して水平（または、略水平）な面を有するテーブル等の当該面の上に、対向基板１０２の外面を接触させて配置する。つまり、対向基板１０２の隔壁１１１〜１１２が設けられた面の方から反対の面に向かって重力がかかるように配置する。
まず、それぞれのセルに設けられた一対の電極（対向電極１４１と対向電極１４２）の間に電圧を印加した状態で、当該セルに電気泳動材料（分散液１５１）を充填する工程（以下、「充填工程」ともいう。）を行う。
そして、当該セルに電気泳動材料が充填された後に、それぞれのセルに設けられた一対の電極（対向電極１４１と対向電極１４２）の間に電圧を印加した状態で、対向基板１０２に設けられた隔壁１１１〜１１２の先端（対向基板１０２とは反対側の先端）と画素基板１０１の側（本実施形態では、画素基板１０１に設けられた接合層１２１）とを接合して、対向基板１０２と画素基板１０１とを組み立てる工程（以下、「組立工程」ともいう。）を行う。本実施形態では、隔壁１１１〜１１２の先端と画素基板１０１の側とを貼り合わせることで、これらを接合する。
【００３３】
充填工程において、それぞれのセルに設けられた一対の電極（対向電極１４１と対向電極１４２）の間に電圧が印加された状態によって、電気泳動材料に含まれる黒色粒子１６３は一方の対向電極１４１に引き寄せられ、当該電気泳動材料に含まれる白色粒子１６２は他方の対向電極１４２に引き寄せられる。この状態で、セルに電気泳動材料が充填されることで、粒子（白色粒子１６２および黒色粒子１６３）が他のセルに移動することを抑制（理想的には、防止）することができる。
【００３４】
組立工程において、それぞれのセルに設けられた一対の電極（対向電極１４１と対向電極１４２）の間に電圧が印加された状態によって、電気泳動材料に含まれる黒色粒子１６３は一方の対向電極１４１に引き寄せられ、当該電気泳動材料に含まれる白色粒子１６２は他方の対向電極１４２に引き寄せられる。この状態で、対向基板１０２に設けられた隔壁１１１〜１１２の先端と画素基板１０１の側とが接合されることで、粒子（白色粒子１６２および黒色粒子１６３）が他のセルに移動することを抑制（理想的には、防止）することができる。
【００３５】
図３の例では、充填工程および組立工程において、例えば、中央のセルにおける上方の両端の部分Ｐ１、Ｐ２に存在する電気泳動材料が周囲の他のセルに移動しても、移動する電気泳動材料に含まれる粒子（白色粒子１６２および黒色粒子１６３）を少なくする（理想的には、なくす）ことができる。
つまり、電気泳動材料に含まれる帯電した粒子（白色粒子１６２および黒色粒子１６３）は対向電極１４１〜１４２に吸着して偏在する状態となるため、隔壁１１１〜１１２の端面（対向基板１０２とは反対側の端面）から溢れる電気泳動材料には当該粒子が少なく（理想的には、無く）なる。これにより、例えば、毛管現象で他のセルへ散逸する電気泳動材料は主に分散媒１６１（理想的には、分散媒１６１のみ）となるが、分散媒１６１が流失あるいは広がっても、表示の不均一は発生せず、表示品位の低下は発生しない。
【００３６】
ここで、それぞれのセルに設けられた一対の電極（対向電極１４１と対向電極１４２）の間に電圧を印加することは、例えば、充填工程と組立工程の両方において共通に電圧の印加が継続されて行われてもよく、または、充填工程で電圧の印加が行われた後に、いったん電圧の印加を解除して、再び組立工程で電圧の印加が行われてもよい。
また、それぞれの工程における作業は、例えば、すべてが所定の装置（電気泳動表示装置１の製造装置）により行われてもよく、または、すべてが人の作業によって行われてもよく、または、一部分が所定の装置により行われて、他の部分が人の作業によって行われてもよい。
【００３７】
なお、本例では、充填工程および組立工程において、一方の対向電極１４１に黒色粒子１６３が引き寄せられ、他方の対向電極１４２に白色粒子１６２が引き寄せられる態様で、一対の電極（対向電極１４１と対向電極１４２）の間に電圧を印加する。他の構成例として、充填工程および組立工程において、一方の対向電極１４１に白色粒子１６２が引き寄せられ、他方の対向電極１４２に黒色粒子１６３が引き寄せられる態様で、一対の電極（対向電極１４１と対向電極１４２）の間に電圧を印加してもよい。また、他の構成例として、充填工程と組立工程とで、一対の電極（対向電極１４１と対向電極１４２）の間に電圧を印加する態様（電圧の向き）が逆になってもよい。
【００３８】
本実施形態では、充填工程と組立工程との両方において、それぞれのセルに設けられた一対の電極（対向電極１４１と対向電極１４２）の間に電圧を印加する構成を示した。他の構成例として、充填工程と組立工程とのうちの一方において、それぞれのセルに設けられた一対の電極（対向電極１４１と対向電極１４２）の間に電圧を印加し、他方において、当該電圧を印加しない構成が用いられてもよい。
【００３９】
一例として、電気泳動材料に保持性がある場合に、いったん、それぞれのセルに設けられた一対の電極（対向電極１４１と対向電極１４２）の間に電圧を印加した後に、当該電圧の印加を解除して、電気泳動表示装置１の製造工程を継続する作業を行ってもよい。当該保持性は、例えば、２個の電極の間に電圧が印加されて、それぞれの電極にそれぞれの粒子（本実施形態では、白色粒子１６２と黒色粒子１６３）が引き寄せられた状態で、当該電圧の印加が解除された後においても、それぞれの電極にそれぞれの粒子が引き寄せられた状態が継続する特性である。
【００４０】
ここで、図４は、比較例に係る電気泳動表示装置を製造する方法の一例を説明するための図である。
図４には、対向基板３００１と、対向基板３００１に設けられた対向電極３０２１と、対向基板３００１（本実施形態では、対向電極３０２１の面）に設けられた隔壁３０１１〜３０１２と、隔壁３０１１〜３０１２により区切られたセルに充填された分散液３０３１を示してある。分散液３０３１は、分散媒３０４１と、白色粒子３０４２と、黒色粒子３０４３を含む。図４の例では、対向電極３０２１として、１個の電極が用いられている。
図４の例では、電気泳動材料を充填する工程および画素基板を接合する工程において、例えば、図４における中央のセルにおける上方の両端の部分Ｐ１１、Ｐ１２に存在する電気泳動材料が周囲の他のセルに移動すると、粒子（白色粒子３０４２および黒色粒子３０４３）も多く移動する。図４の例では、隔壁３０１１〜３０１２の端面の付近に帯電した粒子（白色粒子３０４２、黒色粒子３０４３）が不均一に存在し、毛管現象によって、当該粒子が他のセルへ散逸する。このため、表示の不均一が発生して、表示品位の低下が発生する場合があった。
これに対して、本実施形態では、図３に示される構成により、このような問題を解消した。
【００４１】
なお、本実施形態では、電気泳動表示装置１が製造された後に使用されるときには、例えば、２個の対向電極１４１〜１４２が同じ電位となるように制御されて、それぞれの画素領域２１ごとに１個の画素電極１３１〜１３３と２個の対向電極１４１〜１４２との間に同一の電圧が印加されることで、それぞれの画素領域２１の表示色が制御される。
【００４２】
［対向電極の形状のパターンの例］
図５は、本発明の一実施形態に係る対向電極３１１、３１２の形状のパターンの一例を示す図である。
図５には、互いに対向させられた画素基板１０１および対向基板１０２の面に対して平行な面について、隔壁３０１の形状の一例と、２個の対向電極３１１、３１２の形状の一例を示してある。
ここで、隔壁３０１は、図２および図３に示される隔壁１１１〜１１２を構成する。また、一方の対向電極３１１は図２および図３に示される一方の対向電極１４１を構成し、他方の対向電極３１２は図２および図３に示される他方の対向電極１４２を構成する。
【００４３】
図５の例では、隔壁３０１によって、縦および横（マトリクス状）に配置された複数の画素領域３２１が形成されている。ここで、画素領域３２１は、図１に示される画素領域２１に相当する。
図５の例では、一方の対向電極３１１と他方の対向電極３１２とは、互いに同じ（または、略同じ）形状を有する。具体的には、図５に示される面において、それぞれの対向電極３１１、３１２は、一方向（例えば、横の方向）に延びる線状のパターン（ここの説明で「パターンＡ１」という。）の部分と、所定の離隔間隔ごとにパターンＡ１から垂直方向（例えば、縦の方向）に延びる複数の線状のパターン（ここの説明で「パターンＢ１」という。）を有する。パターンＡ１に対して複数のパターンＢ１は、櫛の歯の形状（櫛歯状）となっている。複数のパターンＢ１は、それぞれ同じ（または、略同じ）形状を有しており、複数のパターンＢ１が並ぶ方向において、１個の画素領域３２１の距離（幅）の半分よりも少し短い幅を有する。当該所定の離隔間隔は、複数のパターンＢ１が並ぶ方向において、１個の画素領域３２１の距離（幅）と同じ（または、略同じ）距離である。
【００４４】
図５の例では、２個の対向電極３１１、３１２は、互いに同じ（または、略同じ）形状であるが、図５に示される面に関して、互いに裏表を反転させた配置となっている。そして、２個の対向電極３１１、３１２は、互いの櫛歯状の部分（複数のパターンＢ１）が１個ずつ交互に並ぶように組み合わされた配置となっている。また、それぞれの画素領域３２１において、一方の対向電極３１１の１個のパターンＢ１と、他方の対向電極３１２の１個のパターンＢ１とが、離隔して配置されている。
なお、図５の例に示される、それぞれの画素領域３２１において２個の対向電極３１１、３１２（それぞれの１個のパターンＢ１）が設けられる構成は、図３の例に示される、それぞれの画素領域において２個の対向電極１４１、１４２が設けられる構成に相当し、すべての画素領域３２１において同様な配置である。
【００４５】
図６は、本発明の一実施形態に係る対向電極４１１、４１２の形状のパターンの他の一例を示す図である。
図６には、互いに対向させられた画素基板１０１および対向基板１０２の面に対して平行な面について、隔壁４０１の形状の一例と、２個の対向電極４１１、４１２の形状の一例を示してある。
ここで、隔壁４０１は、図２および図３に示される隔壁１１１〜１１２に対応する。
【００４６】
図６の例では、隔壁４０１によって、縦および横（マトリクス状）に配置された複数の画素領域４２１が形成されている。ここで、画素領域４２１は、図１に示される画素領域２１に相当する。
図６の例では、一方の対向電極４１１と他方の対向電極４１２とは、互いに同じ（または、略同じ）形状を有する。具体的には、図６に示される面において、それぞれの対向電極４１１、４１２は、一方向（例えば、横の方向）に延びる線状のパターン（ここの説明で「パターンＡ２」という。）の部分と、所定の離隔間隔ごとにパターンＡ２から垂直方向（例えば、縦の方向）に延びる複数の線状のパターン（ここの説明で「パターンＢ２」という。）を有する。パターンＡ２に対して複数のパターンＢ２は、櫛の歯の形状（櫛歯状）となっている。複数のパターンＢ２のうち、片方の端のパターンＢ２以外のパターンＢ２は、それぞれ同じ（または、略同じ）形状を有しており、複数のパターンＢ２が並ぶ方向において、１個の画素領域４２１の距離（幅）よりも少し短い幅を有する。また、当該片方の端のパターンＢ２は、１個の画素領域４２１の距離（幅）の半分よりも少し短い幅を有する。当該所定の離隔間隔は、複数のパターンＢ２が並ぶ方向において、１個の画素領域４２１の距離（幅）と同じ（または、略同じ）距離である。
【００４７】
図６の例では、２個の対向電極４１１、４１２は、互いに同じ（または、略同じ）形状であるが、図６に示される面において、互いに１８０度回転させた配置となっている。そして、２個の対向電極４１１、４１２は、互いの櫛歯状の部分（複数のパターンＢ２）が１個ずつ交互に並ぶように組み合わされた配置となっている。また、それぞれの画素領域４２１において、一方の対向電極４１１の１個のパターンＢ２と、他方の対向電極４１２の１個のパターンＢ２とが、離隔して配置されている。
なお、図６の例に示される、それぞれの画素領域４２１において２個の対向電極４１１、４１２（それぞれの１個のパターンＢ２）が設けられる構成では、複数のパターンＢ２が並ぶ方向において、隣り合う２個の画素領域４２１の間で２個の対向電極４１１、４１２の位置関係（並びの順序）が逆である。
【００４８】
ここで、図５の例および図６の例に限られず、対向電極の形状のパターンとしては、他の様々なパターンが用いられてもよい。例えば、それぞれの画素領域２１に２個（一対）または３個以上の分離された対向電極が配置される様々なパターンが用いられてもよい。このような２個または３個以上の分離された対向電極のそれぞれに電圧を与えて、例えば、隣接する異なる対向電極の間に電圧を発生させることができる。
具体例として、２個の対向電極が用いられる場合、所定の基準電位（０［Ｖ］）に対して、一方の対向電極に＋５［Ｖ］が印加され、他方の対向電極に−５［Ｖ］が印加されてもよい。他の具体例として、３個の対向電極が用いられる場合、所定の基準電位（０［Ｖ］）に対して、３個の対向電極のそれぞれに、＋５［Ｖ］、０［Ｖ］、−５［Ｖ］が印加されてもよい。
【００４９】
図５の例および図６の例では、図示される平面において、複数のパターンＢ１、Ｂ２が並ぶ方向に対して垂直な方向（つまり、複数のパターンＢ１、Ｂ２が延びる方向）について、画素領域３２１、４２１の壁面と各パターンＢ１、Ｂ２（線状の辺）とが平行である構成を示した。他の構成例として、当該画素領域３２１、４２１の壁面と当該各パターンＢ１、Ｂ２（線状の辺）とが非平行（例えば、斜め）になる構成が用いられてもよい。
また、図５の例および図６の例のように、櫛歯状の形状を含む対向電極３１１〜３１２、４１１〜４１２が用いられる場合、例えば、当該櫛歯状の形状によって、インピーダンスが低くなり、表示のムラが軽減される。
【００５０】
また、本実施形態では、１個の画素領域２１に２個（または、３個以上でもよい。）の対向電極が設けられる構成を示した。
他の構成例として、隣接する２個の異なる画素領域２１に、それぞれ異なる１個の対向電極のパターンが設けられてもよい。このような構成においても、例えば、第１の画素領域２１に設けられた対向電極のパターンと、当該第１の画素領域２１に隣接する第２の画素領域２１に設けられた異なる対向電極のパターンとの間に電圧を印加することで、本実施形態と同様な効果が得られる。
【００５１】
また、所定の面（本実施形態では、対向基板１０２の面）に所定の形状の電極（本実施形態では、対向電極）を形成する方法としては、様々な方法が用いられてもよい。
一例として、所定の面に第１の電極のパターンを形成し、当該第１の電極のパターンに積層するように当該所定の面のすべて（全面）に透明な絶縁層を形成し、当該絶縁層に積層するように当該所定の面に第２の電極のパターンを形成する方法が用いられてもよい。当該第１の電極のパターンと当該第２の電極のパターンとは、互いに異なるパターンであり、当該所定の面において互いに重複しない位置に配置され、これら２個の異なるパターンの間に電圧が印加される。
【００５２】
［電気泳動表示装置を製造する処理の手順の例］
図７は、本発明の一実施形態に係る充填工程の処理の手順の一例を示す図である。なお、充填工程について、他の処理の手順が用いられてもよい。
本例では、図３に示される構成を例として説明する。
【００５３】
（ステップＳ１）
対向基板１０２に設けられた隔壁１１１〜１１２の先端に画素基板１０１を接合するよりも前の状態であって、画素領域２１に電気泳動材料（分散液１５１）が充填されるよりも前の状態において、それぞれの画素領域２１における２個の対向電極１４１〜１４２の間に所定の電圧を印加する。当該所定の電圧は、任意に設定されてもよい。
【００５４】
（ステップＳ２）
前記電圧が印加された状態において、画素領域２１に電気泳動材料（分散液１５１）を充填する。
【００５５】
図８は、本発明の一実施形態に係る組立工程の処理の手順の一例を示す図である。なお、組立工程について、他の処理の手順が用いられてもよい。
本例では、図３に示される構成を例として説明する。
【００５６】
（ステップＳ１１）
画素領域２１に電気泳動材料（分散液１５１）が充填された状態であって、対向基板１０２に設けられた隔壁１１１〜１１２の先端に画素基板１０１を接合するよりも前の状態において、それぞれの画素領域２１における２個の対向電極１４１〜１４２の間に電圧を印加する。
【００５７】
（ステップＳ１２）
前記電圧が印加された状態において、対向基板１０２に設けられた隔壁１１１〜１１２の先端に画素基板１０１を接合する。本実施形態では、この接合は、画素基板１０１に設けられた接合層１２１を介して行われる。これにより、対向基板１０２と画素基板１０１とを組み立てる。
ここで、隔壁１１１〜１１２と画素基板１０１（画素基板１０１の側）とを接合する態様としては、一例として、画素基板１０１における隔壁１１１〜１１２の側の面に任意の部位（例えば、接合層１２１など）が設けられる構成においては、隔壁１１１〜１１２と画素基板１０１の当該部位とを接合する態様が用いられてもよく、つまり、隔壁１１１〜１１２と画素基板１０１とを間接的に接合する態様が用いられてもよい。他の例として、隔壁１１１〜１１２と画素基板１０１とが直接に接する構成においては、隔壁１１１〜１１２と画素基板１０１とを直接的に接合する態様が用いられてもよい。これらのいずれの態様においても、対向基板１０２と画素基板１０１とが組み立てられて、一体化される。
また、本実施形態では、隔壁１１１〜１１２と画素基板１０１（画素基板１０１の側）とを接合して、対向基板１０２と画素基板１０１とを組み立てる構成を示したが、他の構成例として、このような接合を行わずに、例えば、対向基板１０２の所定の箇所（隔壁１１１〜１１２以外の箇所）と画素基板１０１とをフレーム（枠）などを介して互いに固定することにより、対向基板１０２と画素基板１０１とを組み立てる構成が用いられてもよい。
【００５８】
なお、例えば、充填工程において前記電圧が印加されている場合には、組立工程においても、そのまま前記電圧の印加が継続されてもよい。また、例えば、電気泳動表示装置１が表示の保持性を有する構成では、充填工程において前記電圧が印加された場合には、組立工程の前に、前記電圧の印加が解除されてもよい。
【００５９】
［第１実施形態のまとめ］
以上のように、本実施形態に係る電気泳動表示装置１の製造方法では、表示部１１のパネル（ＥＰＤパネル）を製造する処理において、例えば、隔壁１１１〜１１２により区切られた画素領域２１に電気泳動材料（分散液１５１）を充填する際に、対向基板１０２に設けられた一対の対向電極１４１〜１４２の間に電圧を印加することで、帯電した粒子（白色粒子１６２、黒色粒子１６３）を対向基板１０２の側に引き寄せながら（吸着して偏在させながら）、電気泳動材料を充填する。これにより、当該粒子が隔壁１１１〜１１２を越えて移動して他の画素領域２１に流失することを抑制することができ、複数の画素領域２１における表示品位の均一化を図ることができる。
【００６０】
また、本実施形態に係る電気泳動表示装置１の製造方法では、表示部１１のパネルを製造する処理において、例えば、対向基板１０２の側と画素基板１０１の側とを接合して、対向基板１０２と画素基板１０１とを組み立てる際に、対向基板１０２に設けられた一対の対向電極１４１〜１４２の間に電圧を印加することで、帯電した粒子（白色粒子１６２、黒色粒子１６３）を対向基板１０２の側に引き寄せながら（吸着して偏在させながら）、両者を接合する。これにより、当該粒子が隔壁１１１〜１１２を越えて移動して他の画素領域２１に流失することを抑制することができ、複数の画素領域２１における表示品位の均一化を図ることができる。
なお、一対の対向電極１４１〜１４２の間に電圧を印加した状態が解除された後においても、帯電した粒子が当該対向電極１４１〜１４２に引き寄せられた状態が継続する保持性がある場合には、当該電圧の印加が解除された状態で、対向基板１０２の側と画素基板１０１の側とを接合して、対向基板１０２と画素基板１０１とを組み立てる構成が用いられてもよい。
【００６１】
また、本実施形態に係る電気泳動表示装置１では、対向基板１０２に一対の対向電極１４１〜１４２を備えており、このような構造によって、上記のような効果を得ることを可能としている。
【００６２】
（第２実施形態）
図９〜図１１を参照して、本発明の実施形態に係る電子機器の概略的な構成例を示す。本実施形態では、以上の実施形態に係る電気泳動表示装置（第１実施形態に係る電気泳動表示装置１）を適用した電子機器の具体例を示す。
【００６３】
図９は、本発明の一実施形態（第２実施形態の第１の例）に係る電子機器の概略的な構成例を示す図である。
具体的には、図９は、電子機器の一例である電子ブック１５０１を示す斜視図である。
電子ブック１５０１は、ブック形状のフレーム１５１１と、以上の実施形態に係る電気泳動表示装置１が適用された表示部１５１２と、操作部１５１３を備える。
【００６４】
図１０は、本発明の一実施形態（第２実施形態の第２の例）に係る電子機器の概略的な構成例を示す図である。
具体的には、図１０は、電子機器の一例である腕時計１５５１を示す斜視図である。
腕時計１５５１は、以上の実施形態に係る電気泳動表示装置１が適用された表示部１５６１を備える。
【００６５】
図１１は、本発明の一実施形態（第２実施形態の第３の例）に係る電子機器の概略的な構成例を示す図である。
具体的には、図１１は、電子機器の一例である電子ペーパー１５７１を示す斜視図である。
電子ペーパー１５７１は、紙と同様の質感および柔軟性を有するリライタブルシートで構成される本体部１５８１と、以上の実施形態に係る電気泳動表示装置１が適用された表示部１５８２を備える。
【００６６】
なお、以上の実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００６７】
以上のように、本実施形態に係る電子機器では、以上の実施形態に係る電気泳動表示装置１の製造方法および電気泳動表示装置１と同様な効果を得ることができる。
【００６８】
（以上の実施形態のまとめ）
一構成例として、互いに対向させられた第１の基板（図２および図３の例では、画素基板１０１）および第２の基板（図２および図３の例では、対向基板１０２）と、第１の基板に画素に対応して設けられた第１の電極（図２および図３の例では、画素電極１３１〜１３３）と、第２の基板に設けられた２個以上の分離した第２の電極（図２および図３の例では、対向電極１４１〜１４２）と、第２の基板に設けられた隔壁（図２および図３の例では、隔壁１１１〜１１２）と、第１の電極と第２の電極との間に設けられた粒子（図２および図３の例では、白色粒子１６２および黒色粒子１６３）および分散媒（図２および図３の例では、分散媒１６１）を含む分散液（図２および図３の例では、分散液１５１）と、を備えた電気泳動表示装置（図１の例では、電気泳動表示装置１）を製造する方法である。そして、電気泳動表示装置の製造方法は、隔壁により仕切られた空間に分散液を充填する充填工程と、空間に分散液が充填された後に、粒子を第２の電極の側に引き寄せた状態で、第２の基板と第１の基板とを組み立てる組立工程と、を有する。
一構成例として、電気泳動表示装置の製造方法では、充填工程において、２個以上の分離した第２の電極の間に電圧を印加した状態で、空間に分散液を充填する。
一構成例として、電気泳動表示装置の製造方法では、組立工程において、２個以上の分離した第２の電極の間に電圧を印加した状態とすることで、粒子を第２の電極の側に引き寄せた状態とする。
一構成例として、電気泳動表示装置の製造方法では、電気泳動表示装置において、粒子が第２の電極の側に引き寄せられた状態が電圧の印加の解除の後に保持される場合に、２個以上の分離した第２の電極の間に電圧を印加した後に電圧の印加を解除することで、組立工程において粒子を第２の電極の側に引き寄せた状態とする。
一構成例として、電気泳動表示装置の製造方法では、電気泳動表示装置において、隔壁により仕切られた１個の空間に、２個以上の分離した第２の電極が配置された。
【００６９】
一構成例として、互いに対向させられた第１の基板および第２の基板と、第１の基板に画素に対応して設けられた第１の電極と、第２の基板に設けられた２個以上の分離した第２の電極と、第２の基板に設けられた隔壁と、第１の電極と第２の電極との間に設けられた粒子および分散媒を含む分散液と、を備えた電気泳動表示装置である。
一構成例として、上記のような電気泳動表示装置を備える電子機器（例えば、図９〜図１１に示される電子機器）である。
【００７０】
以上、この発明の実施形態について図面を参照して詳述してきたが、具体的な構成はこの実施形態に限られるものではなく、この発明の要旨を逸脱しない範囲の設計等も含まれる。
【符号の説明】
【００７１】
１…電気泳動表示装置、１１、１５１２、１５６１、１５８２…表示部、１２…制御部、２１、３２１、４２１…画素領域、１０１…画素基板、１０２、３００１…対向基板、１１１〜１１２、３０１、４０１、３０１１〜３０１２…隔壁、１２１…接合層、１３１〜１３３、３２１…画素電極、１４１〜１４２、３１１〜３１２、４１１〜４１２、３０２１…対向電極、１５１、３０３１…分散液、１６１、３０４１…分散媒、１６２、２０１、３０４２…白色粒子、１６３、２０２、３０４３…黒色粒子、１５０１…電子ブック、１５１１…フレーム、１５１３…操作部、１５５１…腕時計、１５７１…電子ペーパー、１５８１…本体部、Ｐ１〜Ｐ２、Ｐ１１〜Ｐ１２…部分、Ａ１〜Ａ２、Ｂ１〜Ｂ２…パターン
【図１】
2017161833.tif 000003
【図２】
2017161833.tif 000004
【図３】
2017161833.tif 000005
【図４】
2017161833.tif 000006
【図５】
2017161833.tif 000007
【図６】
2017161833.tif 000008
【図７】
2017161833.tif 000009
【図８】
2017161833.tif 000010
【図９】
2017161833.tif 000011
【図１０】
2017161833.tif 000012
【図１１】
2017161833.tif 000013